(57)【要約】【課題】  目標移動位置が慣性スクロール表示の開始時点において、ディスプレイの表示範囲から外れているときでも、目標移動位置をユーザに直観的に認識させることのできる画像表示装置を提案する。【解決手段】  表示画像の慣性スクロール表示が開始される時点において、スクロール停止点Ｂがディスプレイの表示範囲Ｃから外れているときに、画像表示装置は、ディスプレイの所定位置Ａからスクロール停止点Ｂまでの方向と距離を直観的に認識し得る態様でマーク３０を案内表示する。【選択図】      図５
2019096258.tif 000002
【特許請求の範囲】
【請求項１】
フリック操作に応答して、表示画像をディスプレイに慣性スクロール表示する画像表示装置であって、
前記フリック操作を受け付ける入力装置と、
前記入力装置に入力された前記フリック操作のフリック方向及びフリック速度から、前記表示画像の慣性スクロール表示が停止する位置を示すスクロール停止点を計算する演算部と、
前記フリック操作に応答して、前記スクロール停止点が前記ディスプレイの所定位置に到達するまで、前記表示画像を前記ディスプレイに慣性スクロール表示する画像処理部と、を備え、
前記表示画像の慣性スクロール表示が開始される時点において、前記スクロール停止点が前記ディスプレイの表示範囲から外れているときに、前記画像処理部は、前記所定位置から前記スクロール停止点までの方向と距離を直観的に認識し得る態様で前記ディスプレイに案内表示する、画像表示装置。
【発明の詳細な説明】
【技術分野】
【０００１】
本発明は画像表示装置に関わる。
【背景技術】
【０００２】
タッチインターフェースを採用するマルチメディアシステムの中には、ディスプレイ上のタッチパネルへのフリック操作に応答して、表示画像を慣性スクロール表示するものが知られている。慣性スクロール表示とは、フリック操作に応答して、表示画像をスクロール表示し、指をタッチパネルから離しても、スクロール表示は急には止まらず、慣性が作用しているかのようにスクロール表示をある程度継続させる表示機能をいう。このような慣性スクロールは、例えば、ナビゲーションシステムにおける地図情報のスクロールや、オーディオシステムにおける楽曲の選択に用いられるリストスクロールなどに応用されている。特開２０１６−１７９２３８号公報は、フリック操作から算出された表示画像の目標移動位置を、表示画像の慣性スクロール表示に先立って、強調表示することにより、目標移動位置をユーザに直観的に認識させることのできるスクロール表示方法について言及している。
【先行技術文献】
【特許文献】
【０００３】
【特許文献１】特開２０１６−１７９２３８号公報
【発明の概要】
【発明が解決しようとする課題】
【０００４】
しかし、フリック操作から算出された表示画像の目標移動位置が慣性スクロール表示の開始時点において、ディスプレイの表示範囲から外れているときは、目標移動位置をユーザに直観的に認識させることができない。このため、フリック操作を行ったユーザは、表示画像のスクロール表示がどこで停止するのか予測することができず、スクロール表示が停止するまで表示画像を注視し続けてしまう虞がある。このような慣性スクロール表示機能を有する車載ナビゲーションシステムにおいては、車両の運転手が運転中にナビゲーションシステムの画面を注視し続けてしまうことが懸念される。このような運転中の画面注視は、交通事故の原因になりかねないため、改善が望まれていた。
【０００５】
そこで、本発明は、このような問題を解決し、目標移動位置が慣性スクロール表示の開始時点において、ディスプレイの表示範囲から外れているときでも、目標移動位置をユーザに直観的に認識させることのできる画像表示装置を提案することを課題とする。
【課題を解決するための手段】
【０００６】
上述の課題を解決するため、本発明に関わる画像表示装置は、フリック操作に応答して、表示画像をディスプレイに慣性スクロール表示する画像表示装置であって、（i）フリック操作を受け付ける入力装置と、（ii）入力装置に入力されたフリック操作のフリック方向及びフリック速度から、表示画像の慣性スクロール表示が停止する位置を示すスクロール停止点を計算する演算部と、（iii）フリック操作に応答して、スクロール停止点がディスプレイの所定位置に到達するまで、表示画像をディスプレイに慣性スクロール表示する画像処理部とを備える。表示画像の慣性スクロール表示が開始される時点において、スクロール停止点がディスプレイの表示範囲から外れているときに、画像処理部は、所定位置からスクロール停止点までの方向と距離を直観的に認識し得る態様でディスプレイに案内表示する。
【発明の効果】
【０００７】
本発明に関わる画像表示装置によれば、表示画像の慣性スクロール表示が開始される時点において、スクロール停止点がディスプレイの表示範囲から外れているときに、ディスプレイの所定位置からスクロール停止点までの方向と距離を直観的に認識し得る態様で案内表示されるため、表示画像のスクロール表示がどこで停止するのかを予測することができる。これにより、ユーザによるスクロール表示の不要な注視を抑制することができる。
【図面の簡単な説明】
【０００８】
【図１】本発明の実施形態に関わる画像表示装置の概略構成を示す説明図である。
【図２】本発明の実施形態に関わる慣性スクロール表示処理の説明図である。
【図３】本発明の実施形態に関わる慣性スクロール表示処理の説明図である。
【図４】本発明の実施形態に関わる慣性スクロール表示処理の説明図である。
【図５】本発明の実施形態に関わる慣性スクロール表示処理の説明図である。
【図６】本発明の実施形態に関わるスクロール表示処理の流れを示すフローチャートである。
【図７】本発明の実施形態に関わる慣性スクロール表示処理の説明図である。
【発明を実施するための形態】
【０００９】
以下、各図を参照しながら本発明の実施形態について説明する。ここで、同一符号は同一の構成要素を示すものとし、重複する説明は省略する。
図１は本発明の実施形態に関わる画像表示装置１０の概略構成を示す説明図である。画像表示装置１０は、タッチインターフェース機能を備えるマルチメディアシステムの画像処理を行う装置である。マルチメディアシステムは、例えば、車載ナビゲーションシステム又は車載オーディオシステムである。
【００１０】
画像表示装置１０は、入力装置１１、演算部１２、画像処理部１３、及びディスプレイ１４を備える。
【００１１】
入力装置１１は、ユーザからのタッチ操作を検出するためのセンサアレイを含む。入力装置１１は、例えば、ディスプレイ１４の表示範囲に重ねて形成されたタッチパネルであり、このようなタッチパネルとして、例えば、抵抗膜方式、光学式、又は静電容量式などの公知のものを用いることができる。タッチ操作は、例えば、スクロール操作（入力装置１１をタッチした指（１本指）を一方向にずらせる操作）、フリック操作（入力装置１１をタッチした指をはねるように動かす操作）、タップ操作（入力装置１１を１本指で１回タッチ（タップ）する操作）、ダブルタップ操作（入力装置１１に２回連続してタッチ（タップ）する操作）、ピンチアウト操作（入力装置１１をタッチした２本の指を遠ざけるように動かす操作）、ピンチイン操作（入力装置１１をタッチした２本の指を近付けるように動かす操作）、スワイプ操作（入力装置１１を２本指でドラッグ（又はフリック）する操作）などを含む。
【００１２】
演算部１２は、入力装置１１に入力されたフリック操作に応答して、ディスプレイ１４に表示される表示画像を慣性スクロール表示するための計算処理を行う。演算部１２は、例えば、プロセッサコア、記憶デバイス（揮発性メモリ、不揮発性メモリ、ディスク媒体など）、及び入出力インタフェースを備える。プロセッサコアは、入力装置１１に入力されたユーザからのフリック操作に対する入力装置１１からの検出信号を、入出力インタフェースを通じて取得し、記憶デバイスに格納されているプログラムに従って、表示画像を慣性スクロール表示するための計算処理を行い、慣性スクロール表示に関する指示を画像処理部１３に与える。
【００１３】
画像処理部１３は、演算部１２からの指示に応答して、表示画像をディスプレイ１４に慣性スクロール表示するための画像データを生成する。画像処理部１３は、例えば、ビデオプロセッサ、ビデオランダムアクセスメモリ、及びディスプレイコントローラを備える。ビデオプロセッサは、演算部１２からの指示に応答して、表示画像の画像データを生成し、これをビデオランダムアクセスメモリに書き込む。ディスプレイコントローラは、ビデオランダムアクセスメモリに書き込まれた画像データを読み出し、ディスプレイ１４に出力する。
【００１４】
ディスプレイ１４は、例えば、液晶ディスプレイ、電界発光ディスプレイ、又はプラズマディスプレイなどの平板ディスプレイである。
【００１５】
次に、図２乃至図５を参照しながら、本発明の実施形態に関わる慣性スクロール表示処理の概要について説明する。本発明の実施形態に関わる慣性スクロール表示処理は、例えば、ナビゲーションシステムにおける地図情報のスクロールに適用することが可能であり、この場合、ディスプレイ１４に表示される表示画像は、地図情報である。
符号Ｃは、ディスプレイ１４の表示範囲を示している。符号Ａは、ディスプレイ１４の所定位置（例えば、中央位置）を示している。表示画像が慣性スクロール表示を通じてディスプレイ１４の表示範囲Ｃ内でスクロール移動したとしても、所定位置Ａは、不変である。符号Ｂが指し示す位置にある表示画像上の点が、表示画像の慣性スクロール表示を通じて、所定位置Ａに到達したときに、慣性スクロール表示は停止するものとする。このような位置にある点Ｂをスクロール停止点と呼ぶ。スクロール停止点Ｂの位置（表示画像上の座標）は、入力装置１１に入力されたフリック操作のフリック方向及びフリック速度から計算により求まる。符号２０は、表示画像の慣性スクロール表示中にスクロール停止点Ｂの位置を案内表示する目印を示している。このような目印として、任意のオブジェクト（例えば、記号又はキャラクタなど）を用いることができる。符号３０は、表示画像の慣性スクロール表示中に所定位置Ａからスクロール停止点Ｂまでの方向と距離を直観的に認識し得る態様で案内表示するマークを示している。マーク３０は、例えば、矢印の形状をなしており、矢印の幅は、所定位置Ａとスクロール停止点Ｂとの間の距離が長い程、太くなり、所定位置Ａとスクロール停止点Ｂとの間の距離が短い程、細くなるように表示される。所定位置Ａとスクロール停止点Ｂとの間の距離が閾値未満になると、目印２０及びマーク３０は、ディスプレイ１４に表示されなくなる（図４）。
【００１６】
なお、マーク３０は、必ずしも、矢印の形状を成している必要はなく、ディスプレイ１４の所定位置Ａからスクロール停止点Ｂまでの方向と距離を直観的に認識し得る態様で案内表示できるものであれば、どのような表示形態でもよい。例えば、マーク３０は、ディスプレイ１４の所定位置Ａからスクロール停止点Ｂまでの距離に応じて形状又は色が変化するものでもよい。
【００１７】
図２乃至図４は、表示画像の慣性スクロール表示が開始される時点において、スクロール停止点Ｂがディスプレイの表示範囲Ｃ内にある場合を示している。これに対し、図５は、表示画像の慣性スクロール表示が開始される時点において、スクロール停止点Ｂがディスプレイの表示範囲Ｃから外れている場合を示している。このように、スクロール停止点Ｂがディスプレイの表示範囲Ｃから外れている場合でも、所定位置Ａからスクロール停止点Ｂまでの方向と距離をマーク２０の表示態様から直観的に認識することができる。なお、スクロール停止点Ｂがディスプレイの表示範囲Ｃから外れている場合には、スクロール停止点Ｂがディスプレイの表示範囲Ｃ内に現れるまで、スクロール速度を速めるようにしてもよい。
【００１８】
図６は、本発明の実施形態に関わるスクロール表示処理の流れを示すフローチャートである。
ステップ６０１において、演算部１２は、入力装置１１にスクロール操作が入力されたか否かを判定する。
ステップ６０２において、演算部１２は、入力装置１１に入力されたスクロール操作がフリック操作であるか否かを判定する。
ステップ６０３において、演算部１２は、入力装置１１に入力されたフリック操作のフリック方向及びフリック速度から、スクロール停止点Ｂを計算する。演算部１２は、この計算結果に基づいて、目印２０及びマーク３０を表示画像に重畳表示するための指示を画像処理部１３に与える。画像処理部１３は、この指示に応答して、表示画像の慣性スクロール表示中に目印２０及びマーク３０を表示画像に重畳表示するための画像データを生成する。
ステップ６０４において、ディスプレイ１４は、目印２０及びマーク３０を表示画像に重畳表示した上で、表示画像を慣性スクロール表示する
ステップ６０５において、ディスプレイ１４は、表示画像をスクロール表示する。スクロール操作に応答して表示画像をスクロール表示する方法は公知であるため、その詳細な説明を省略する。
【００１９】
なお、演算部１２と画像処理部１３とは、必ずしも別個のハードウェア資源から構成される必要はなく、例えば、演算部１２の機能と画像処理部１３の機能とを同一のハードウェア資源（例えば、特定用途向け集積回路）によって実現してもよい。
【００２０】
上述の例では、本発明の実施形態に関わる慣性スクロール表示処理を、ナビゲーションシステムにおける地図情報のスクロールに適用する場合を示したが、例えば、図７に示すように、本発明の実施形態に関わる慣性スクロール表示処理を、オーディオシステムにおける楽曲の選択に用いられるリストスクロールに適用してもよい。
【００２１】
本発明の実施形態に関わる慣性スクロール表示処理によれば、表示画像の慣性スクロール表示が開始される時点において、スクロール停止点Ｂがディスプレイ１４の表示範囲Ｃから外れているときに、所定位置Ａからスクロール停止点Ｂまでの方向と距離を直観的に認識し得る態様でマーク３０が案内表示されるため、ユーザは、表示画像のスクロール表示がどこで停止するのかを予測することができる。これにより、ユーザによるスクロール表示の不要な注視を抑制することができる。
【００２２】
以上説明した実施形態は、本発明の理解を容易にするためのものであり、本発明を限定して解釈するためのものではない。本発明は、その趣旨を逸脱することなく、変更又は改良され得るととともに、本発明には、その等価物も含まれる。
【符号の説明】
【００２３】
１０…画像表示装置    １１…入力装置  １２…演算部  １３…画像処理部  １４…ディスプレイ  Ａ…所定位置  Ｂ…スクロール停止点  Ｃ…表示範囲  ２０…目印  ３０…マーク
【図１】
2019096258.tif 000003
【図２】
2019096258.tif 000004
【図３】
2019096258.tif 000005
【図４】
2019096258.tif 000006
【図５】
2019096258.tif 000007
【図６】
2019096258.tif 000008
【図７】
2019096258.tif 000009